(57)【特許請求の範囲】
【請求項１】
液透過性の表面シート、液不透過性の防漏シート、及び液保持性の吸収体を備え、実質的に縦長であり、背側部の左右両側部に一対の背側サイドフラップ部を有し、該背側サイドフラップ部を止着手段を介して腹側部に止着して使用される吸収性物品において、
前記背側サイドフラップ部は、高剛性領域と該高剛性領域よりも剛性の低い低剛性領域とを有し、
前記止着手段は、主止着手段と、前記背側部又は前記腹側部における、該主止着手段が設けられた位置よりも股下部寄りに設けられた副止着手段とからなり、該主止着手段は、前記高剛性領域に設けられ、該副止着手段は、前記低剛性領域又は該低剛性領域に当接される該腹側部の外面に設けられている吸収性物品。
【請求項２】
前記副止着手段の剪断強度が、前記主止着手段の剪断強度よりも低い請求項１記載の吸収性物品。
【請求項３】
前記高剛性領域は、吸収性物品を止着する際の引っ張り方向に直交する方向の剛性がカンチレバー法で３０〜３００ｍｍであり、前記低剛性領域は、吸収性物品を止着する際の引っ張り方向に直交する方向の剛性がカンチレバー法で０〜１５０ｍｍである請求項１又は２記載の吸収性物品。
【請求項４】
前記高剛性領域は、ウエスト端部側の端部における吸収性物品の幅方向の外側部に形成され、前記低剛性領域は、該高剛性領域を吸収性物品の幅方向の内方側及び股下部側において囲むように形成されている請求項１〜３の何れかに記載の吸収性物品。
【請求項５】
前記背側サイドフラップ部は、その一端部が股下部に位置している請求項１〜４の何れかに記載の吸収性物品。
【発明の詳細な説明】
【０００１】
【発明の属する技術分野】
本発明は、装着が容易で、ウエスト部及び脚廻り部のフィット性に優れた使い捨ておむつ等の吸収性物品に関する。
【０００２】
【従来の技術及び発明が解決しようとする課題】
従来、液透過性の表面シート、液不透過性の防漏シート、及び液保持性の吸収体を備え、背側部の左右両側部に止着手段を有する背側サイドフラップ部を備え、該背側サイドフラップ部を該止着手段を介して腹側部の外面に止着して使用される使い捨ておむつ等の吸収性物品が広く知られている。
【０００３】
斯かる吸収性物品においては、漏れの防止性を高め、また、装着感を向上させるために、ウエスト廻りのフィット性と脚廻り部のフィット性とを高めることが重要であり、例えば、背側サイドフラップ部に、ウエスト廻りを締めるためのテープファスナーと脚廻りを締めるためのテープファスナーとを設け、これらの二種類のテープファスナーにより、ウエスト廻り及び脚廻りのフィット性を向上させた使い捨ておむつが提案されている。
しかし、斯かる従来の使い捨ておむつにおいては、二種類のファスナーを固定する必要があり、おむつを装着するための操作が容易ではない。
【０００４】
従って、本発明の目的は、装着が容易で、ウエスト部及び脚廻りのフィット性に優れた使い捨ておむつ等の吸収性物品を提供することにある。
【０００５】
【課題を解決するための手段】
本発明は、液透過性の表面シート、液不透過性の防漏シート、及び液保持性の吸収体を備え、実質的に縦長であり、背側部の左右両側部に一対の背側サイドフラップ部を有し、該背側サイドフラップ部を止着手段を介して腹側部に止着して使用される吸収性物品において、前記背側サイドフラップ部は、高剛性領域と該高剛性領域よりも剛性の低い低剛性領域とを有し、前記止着手段は、主止着手段と、前記背側部又は前記腹側部における、該主止着手段が設けられた位置よりも股下部寄りに設けられた副止着手段とからなり、該主止着手段は、前記高剛性領域に設けられ、該副止着手段は、前記低剛性領域又は該低剛性領域に面接される該腹側部の外面に設けられている吸収性物品を提供することにより、上記の目的を達成したものである。
【０００６】
【発明の実施の形態】
以下、本発明をその好ましい一実施形態に基づいて説明する。
本実施形態の吸収性物品としての使い捨ておむつ１は、液透過性の表面シート２、液不透過性の防漏シート３、及び液保持性の吸収体４を備えた実質的に縦長の形態を有する本体１０を備えている。
【０００７】
表面シート２及び防漏シート３は、それぞれ吸収体４よりも大きい外形寸法を有し、これら両シート２，３間に吸収体４が挟持固定されている。
防漏シート３は、その両側縁部が吸収体４の両側縁４ａ，４ａよりも左右外方に位置するように延出しており、本体１０の両側部に、使い捨ておむつ１の長手方向に沿う一対のレッグ部１１，１１が形成されている。
また、防漏シート３の外面には、不織布製の外層シート５が配されており、該外層シート５は、その両側縁部が吸収体４の両側縁４ａよりも左右外方に位置するように延出しており、その延出部分は、防漏シート３と共にレッグ部１１，１１を形成している。
【０００８】
本体１０は、使い捨ておむつ１を平面状に拡げた緊張状態（以下、緊張状態という）において、略矩形状の縦長形状をなしており、本体１０の両側部に、左右一対の立体ガード６，６が設けられている。各立体ガード６は、弾性部材６１を有するシート材６２を配して形成されており、各立体ガード６の自由端６３は、その基端６４よりも、使い捨ておむつ１の幅方向の中央側に位置し、該基端６４は、シート材６２を、吸収体４の上方において表面シート２に接着固定して形成されている。
各シート材６２は、自由端とは反対側の縁部が吸収体４の側縁４ａよりも外方に位置するように延出しており、その延出部分は、防漏シート３に貼り合わされ、防漏シート３及び外層シート５と共にレッグ部１１，１１を形成している。
【０００９】
また、使い捨ておむつ１の長手方向の両端部それぞれには、ウエスト部弾性部材（図示せず）が配設されてウエストギャザー８，８が形成されている。また、レッグ部１１，１１には、レッグギャザー形成用のレッグ部弾性部材が配されていないが、レッグ部弾性部材が配されている場合には、脚廻りからの漏れが更に効果的に防止されるので好ましい。尚、各立体ガード６には、図２に示す如く弾性部材６１が略平行に複数本配されているが、図１においては、一本の弾性部材６１のみを図示してある。
【００１０】
而して、本使い捨ておむつ１は、着用時に着用者の背側に配される背側部Ａの左右両側部に、一対の背側サイドフラップ部７，７を有している。
【００１１】
両背側サイドフラップ部７，７は、図１〜３に示す如く、本体１０の両側部１０ａ，１０ａそれぞれに、フラップ形成用のシート材７１が、該両側部１０ａ，１０ａから外方に突出するように固定されて形成されている。
各フラップ形成用のシート材７１は、図３に示すように、略三角形状の縦長形状を有しており、該シート材７１における使い捨ておむつ１の幅方向中央側の側縁部が、本体１０におけるシート材６２及び防漏シート３間に挟持されて固定されている。
【００１２】
各背側サイドフラップ部７は、緊張状態において、略直角三角形状をなしており、その一端部７ｃが、着用時に着用者の股下部に配される股下部Ｃに位置している。各背側サイドフラップ部７における、おむつの幅方向中央側の一側縁部７ａは、緊張状態において、おむつの長手方向に延びる中央線に略平行をなす直線状をなしており、おむつの幅方向外方側の他側縁部７ｂは、該一側縁部７ａに対する角度θ（図３参照）が１５〜４５°の直線状をなしている。
【００１３】
各背側サイドフラップ部７は、高剛性領域７Ａと該高剛性領域７Ａよりも剛性の低い低剛性領域７Ｂとを有している。即ち、フラップ形成用の各シート材７１の一部、具体的には突出方向の先端部には他のシート材７２，７２が貼り合わされており、複数のシート材７１，７２が積層された部分として、該背側サイドフラップ部７のウエスト端部８１側の端部７ｄにおけるおむつの幅方向の外側部に、剛性の高い高剛性領域７Ａが形成されている。高剛性領域７Ａは、おむつの幅方向に横長の形態を有し、その外方側の端部は、背側サイドフラップ部７における前記他側縁部７ｂから更に外方に突出している。
【００１４】
一方、背側サイドフラップ部におけるシート材７２が積層されていない部分、即ちシート材７１のみからなる部分が低剛性領域７Ｂとなっている。
低剛性領域７Ｂは、前記高剛性領域７Ａを、使い捨ておむつの幅方向の内方側及び股下部側において囲むように形成されている。尚、使い捨ておむつ１の幅方向に沿う幅Ｗ（図３参照）は、股下部Ｃ側の一端部７ｃから高剛性領域７Ａの下端部に向かうに従って次第に増大している。
【００１５】
両背側サイドフラップ部７，７は、それぞれ、図５に示すように、おむつを装着する際、腹側部Ｂの外面に止着されるが、本使い捨ておむつ１は、止着手段として、高剛性領域７Ａに設けられた主止着手段９１と、低剛性領域７Ｂにおける該主止着手段９１が設けられた位置よりも股下部Ｃ寄りに設けられた副止着手段９２とを有している。
【００１６】
より具体的には、主止着手段９１は、おむつの装着時に、着用者のウエスト廻りに配されるウエスト部８２又はその近傍に設けられており、副止着手段９２は、該ウエスト部８２よりも下方に位置する胴回り部８３に設けられている。
【００１７】
本使い捨ておむつ１における主副の両止着手段９１，９２は、何れも表面に多数の係合突起を有する機械的ファスナーの雄部材であり、いずれも腹側部Ｂの外面に、機械的ファスナーの雌部材（被止着手段）９３を配して形成された被止着部に着脱自在に係合し得るように構成されている。主副の両止着手段９１，９２は、それぞれ高剛性領域７Ａ又は低剛性領域７Ｂの面上に溶着、接着等の適宜の接合方法により接合されている。機械的ファスナーの雄部材としては、例えば、クラレ社製の「マジックテープ（登録商標）」等を用いることができる。
尚、主副の止着手段９１，９２は、その一方又は双方が、機械的ファスナーの雌部材等が配されていない、外層シート５からなる被止着部９３に係合等するものであっても良い。また、両止着手段９１，９２は、高剛性領域７Ａ、低剛性領域７Ｂに各々複数個配置されていても良い。また、両止着手段９１，９２は、異なる構成の止着手段であっても良い。
【００１８】
本使い捨ておむつ１における副止着手段９２としての機械的ファスナーの雄部材は、被止着部９３に係合し得る係合面の面積が、主止着手段９１の係合面の面積の２０〜８０％であり、副止着手段９２の剪断強度は、主止着手段９１の剪断強度よりも低くなっている。脚廻りに優れたフィット性を得るために求められる止着手段の効果は、ウエスト廻りと同等な堅固な止着ではなく、サイドフラップのめくれ上がりを防止し、おむつの保形性を保つという比較的弱い止着であり、ウエスト廻りに比べ運動量の多い脚廻りに圧迫感を与えないためにも、副止着手段の剪断力は主止着手段の剪断力よりも低い方が好ましいからである。
【００１９】
ここで、両止着手段９１，９２それぞれの剪断強度は、それぞれ以下のようにして測定される。
即ち、図６に示すように、主止着手段９１と係合する腹側部Ｂ上の被止着部（被止着手段９３、外層シート５等）を、おむつの長手方向×幅方向が５ｃｍ×５ｃｍになるように裁断し、得られた被止着部Ｂ’を、該被止着部Ｂ’のおむつの幅方向ａがアルリル板２９の長手方向に一致するように該アクリル板２９の一端部に両面テープを用いて接着する。また、主止着手段９１をおむつの長手方向×幅方向が３ｃｍ×２ｃｍになるように裁断し、該主止着手段９１の裏面側を、該止着手段９１のおむつの幅方向ａが３ｃｍ×１２ｃｍのフィルム３１の長手方向に一致するように、該フィルム３１の一端側に貼り付けてサンプルテープ３０を作成する。
【００２０】
次いで、サンプルテープ３０の一端部を、貼着された主止着手段９１の表面全体が被止着部Ｂ’に当接するように且つ該サンプルテープ３０の長手方向がアルリル板２９の長手方向に一致するように、該アルリル板の一端部上に静置し、該サンプルテープ３０上に１ｋｇのローラーを一往復させて、主止着手段９１を被止着部Ｂ’に圧着させる。
その後、サンプルテープ３０を、主止着手段９１が貼着されていない側の端部を把持して、図６中白抜き矢印で示される方向（アクリル板２９及びサンプルテープ３０の長手方向と同じ方向）に３００ｍｍ／ｍｉｎで引っ張り、該サンプルテープ３０が上記被止着部Ｂ’より剥離されるのに必要な力を測定した。同様な操作を１０回繰り返して測定データを得た。
得られたデータをオリエンテック（株）剥離試験モードデータ処理ソフト〔商品名「ＭＰＷ−３００Ｐ」Ｗｉｎｄｏｗｓ９５版〕を用いてデータ処理し、この中の「最大点荷重値」にて剪断力を評価した。副止着手段９２の剪断強度も同様に測定した。尚、上記フィルム３１としては、上記主止着手段９１を固定できるものであれば任意である。
【００２１】
また、主止着手段９１が設けられる高剛性領域７Ａは、おむつ装着時における止着性に優れたものとする観点から、使い捨ておむつを止着する際の引っ張り方向に直交する方向の剛性が、カンチレバー法で３０〜３００ｍｍであることが好ましく、５０〜２００ｍｍがより好ましく、８０〜１５０ｍｍが更に好ましい。また、副止着手段９２が設けられる低剛性領域７Ｂは、着用者の側部におけるフィット性を優れたものとする観点から、使い捨ておむつを止着する際の引っ張り方向に直交する方向の剛性がカンチレバー法で０〜１５０ｍｍであることが好ましく、０〜１２０ｍｍがより好ましく、０〜１００ｍｍが更に好ましい。また、使い捨ておむつを止着する際の引っ張り方向に直交する方向の剛性は、高剛性領域７Ａの剛性が低剛性領域７Ｂの剛性よりもカンチレバー法で４０〜１００ｍｍ大きいことが好ましい。
【００２２】
ここで、本実施形態における、高剛性領域７Ａの使い捨ておむつを止着する際の引っ張り方向とは、おむつの幅方向をいい、低剛性領域７Ｂの使い捨ておむつを止着する際の引っ張り方向とは、おむつの幅方向をいう。
尚、カンチレバー法による剛性の測定方法は、ＪＩＳ  Ｌ１０９６  ６．１９．１に規定されている。具体的には、高剛性領域は２ｃｍ×約３０ｃｍの試験片、低剛性領域は２ｃｍ×約１５ｃｍの試験片を、それぞれを６枚採取し、それぞれ６枚の平均値を測定値とする。高剛性領域内、低剛性領域内で剛性の異なる領域が混在している場合は、面積比の最も大きい部分を試験片とする。
【００２３】
次に、本実施形態の使い捨ておむつ１を構成する各部材の形成材料について説明する。
表面シート２、防漏シート３、吸収体４、外層シート５、立体ガード形成用のシート材６２及び弾性部材６１の形成材料としては、通常、使い捨ておむつに用いられるものを特に制限なく用いることができる。
【００２４】
また、フラップ形成用のシート材７１の形成材料としては、不織布、織布、編布、フィルム、フォーム材、またはそれらの組み合わせ等を好ましく用いることができ、伸縮性の材料を用いることもできる。また、高剛性領域形成用のシート材７２，７２の形成材料としては、高剛性領域を形成させ得るものであれば特に制限されず、シート材７１と同様の材料を用いても良いし、シート材７１とは異なる材料を用いても良く、例えば、不織布、フィルム、プラスチック、またはそれらの組み合わせ等を好ましく用いることができる。
【００２５】
本実施形態の使い捨ておむつ１における主止着手段９１が設けられた高剛性領域７Ａは、おむつを装着する際の把持部として機能する。
即ち、本使い捨ておむつ１は、主止着手段９１が設けられた高剛性領域７Ａを把持して腹側部Ｂ側に引っ張り、該主止着手段９１を腹側部Ｂの外面に止着することにより着用者に装着される。
【００２６】
本使い捨ておむつ１においては、主止着手段９１が設けられた高剛性領域７Ａを把持部として装着時に引っ張っても、該高剛性領域７Ａに変形が生じにくい。そのため、主止着手段９１の腹側部Ｂ外面への止着が極めて容易であり、おむつを迅速に、最適な締め付け状態におむつを装着することができる。また、その締め付け状態が、主に主止着手段９１により安定に維持される。これによって、本使い捨ておむつにおいては、ウエスト部に優れたフィット性が得られる。
【００２７】
また、背側サイドフラップ部７が低剛性領域７Ｂを有し、該低剛性領域７Ｂに副止着手段９２が設けられているため、背側サイドフラップ部の総ての部分の剛性を高めた場合のように、主止着手段９１が被止着部から剥がれ易くなるといった不都合が生じない。そして、レッグ部１１，１１の近傍に配された低剛性領域７Ｂが着用者の肌に沿うように変形するため、着用者の脚廻りに優れたフィット性が得られる。本使い捨ておむつ１は、低剛性領域７Ｂが、前記高剛性領域７Ａの使い捨ておむつの幅方向の内方側及び股下部側を囲むように形成されているため、特にウエスト部及び脚廻りのフィット性に優れたものとなっている。
【００２８】
また、主止着手段９１を腹側部Ｂの外面に止着する際に、副止着手段９２が該腹側部に同時に止着されるようになされており、そのため、二種類のファスニングテープを固定する場合に比べて、極めて装着操作が簡単であり、例えば赤ん坊が激しく動くような場合であっても、おむつを容易且つ迅速に装着することができる。
【００２９】
以上、本発明の一実施形態について説明したが、本発明は上記の実施形態に制限されず本発明の趣旨を逸脱しない範囲内において種々の変更が可能である。
例えば、上記の実施形態における背側サイドフラップ部７，７は、本体１０にシート材を固定して形成されているが、本発明における背側サイドフラップ部は、本体１０を構成する部材、例えば立体ガード形成用のシート材６２、外層シート５等を、おむつ側方に延出して形成されたものであっても良い。その際、シート材６２、外層シート５等のおむつ側方に延出した本体を構成する複数の部材の間にシート材７２の一部を挟み込み、側縁部７ｂから外方に突出したシート材７２の一部に主止着手段が配置されていても良い。上記使い捨ておむつ１は、腹側部Ｂの左右両側部に、このようにして形成された一対の腹側サイドフラップ部を有している。また、高剛性領域は、その全周を低剛性領域に囲まれた状態で存在していても良い。
【００３０】
また、副止着手段９２は、腹側部Ｂの外面における、おむつ着用時に前記低剛性領域９２が当接される部位であって、前記高剛性領域９１が止着される部位よりも股下部Ｃ寄りの部位に設けても良い。例えば図５におけるＤ部に副止着手段９２を設けても良く、斯かる構成の使い捨ておむつによっても、上記実施形態の使い捨ておむつ１と同様の作業効果が奏し得られる。また、フラップ形成用シート材７１の少なくとも高剛性領域９１よりも股下部Ｃ寄りの部位が被止着手段９３、外層シート５あるいはその両方に直接係合しても良い。
【００３１】
また、高剛性領域及び低剛性領域それぞれの構成は、該低剛性領域の剛性が高剛性領域よりも相対的に低くなる構成であれば特に制限されない。
例えば、高剛性領域は、上記の実施形態におけるように、シートの積層枚数を低剛性領域よりも多くして形成しても良いが、低剛性領域を形成するシートに、該シートよりも高剛性のシートを連設して形成することもできる。また、主副の両止着手段のそれぞれは、高剛性領域又は低剛性領域に粘着材を塗布して形成した粘着部であっても良い。また、本発明は、赤ん坊や成人用の使い捨ておむつの他、失禁パットや生理用ナプキン等に適用することもできる。
【００３２】
【発明の効果】
本発明の吸収性物品は、装着が容易で、ウエスト部及び脚廻りのフィット性に優れたものである。
【図面の簡単な説明】
【図１】図１は、本発明の一実施形態としての使い捨ておむつを、自由状態において表面シート側から視た斜視図である。
【図２】図２は、図１のＸ−Ｘ断面図である。
【図３】図３は、図１の使い捨ておむつにおける背側サイドフラップ部の一方を、緊張状態として示した平面図である。
【図４】図４は、図３のＹ−Ｙ断面図である。
【図５】図５は、図１の使い捨ておむつを装着した状態を示す斜視図である。
【図６】図６は、剪断強度の測定方法を説明するための説明図である。
【符号の説明】
１    吸収性物品（使い捨ておむつ）
１０    本体
２    表面シート
３    防漏シート
４    吸収体
５    外層シート
６    立体ガード
７    背側サイドフラップ部
７Ａ  高剛性領域
７Ｂ  低剛性領域
８１    ウエスト端部
８２    ウエスト部
８３    胴回り部
９１    主止着手段
９２    副止着手段
Ａ    背側部
Ｂ    腹側部
Ｃ    股下部
【図１】
0003904354.tif 000002
【図２】
0003904354.tif 000003
【図３】
0003904354.tif 000004
【図４】
0003904354.tif 000005
【図５】
0003904354.tif 000006
【図６】
0003904354.tif 000007